(57)【要約】【課題】録画後にＣＭ再生に関する処理が可能で、映像情報のファイル名およびメタデータで内容判断が可能な映像分類方法を有する画像処理装置、および再生方法を提供する。【解決手段】映像ファイル１１０は、本編フレーム２００と、ＣＭフレーム２０１と、ブラックフレーム２０２とで構成される。ブラックフレーム２０２の挿入ポイントに基づいて本編フレーム２００とＣＭフレーム２０１が判別され、区間１および区間３が本編、区間２がＣＭであると認識する。本編フレーム２００で構成された情報は、本編ファイル１１０Ａとして新たに作成され「CM_Free_Adventure.mpg」と本編ファイル名１１００Ａが付与される。ＣＭフレーム２０１とブラックフレーム２０２とで構成された情報は、ＣＭファイル１１０Ｂとして新たに作成され「CM_Adventure.mpg」とＣＭファイル名１１００Ｂが付与される。【選択図】図３
2007267259.tif 000002
【特許請求の範囲】
【請求項１】
外部より映像信号を受信する信号受信部と、前記映像信号を映像ファイルとして記憶する記憶媒体と、前記記憶媒体に記憶された前記映像ファイルを再生する再生部とを有する画像処理装置において、
前記映像ファイル中に含まれる情報を解析し、映像区間の種別を判断する種別判定部と、
前記種別が同一の映像区間を集めて種別ファイルを作成するファイル作成部と、
前記種別に基づいた文字列を前記映像ファイルのファイル名に加え、前記種別ファイルのファイル名として付与するファイル名付与部とを有することを特徴とする画像処理装置。
【請求項２】
外部より映像信号を受信する信号受信部と、前記映像信号を映像ファイルとして記憶する記憶媒体と、前記記憶媒体に記憶された前記映像ファイルを再生する再生部とを有する画像処理装置において、
前記映像ファイル中に含まれる情報を解析し、映像区間の種別を判断する種別判定部と、
前記種別が同一の映像区間を集めて種別ファイルを新たに作成するファイル作成部と、
前記種別に基づいた文字列を前記映像ファイルのファイル名の先頭に加え、前記種別ファイルのファイル名として付与するファイル名付与部とを有することを特徴とする画像処理装置。
【請求項３】
外部より映像信号を受信する信号受信部と、前記映像信号を映像ファイルとして記憶する記憶媒体と、前記記憶媒体に記憶された前記映像ファイルを再生する再生部とを有する画像処理装置において、
前記映像ファイル中に含まれる情報を解析し、映像区間の種別を判断する種別判定部と、
前記種別が同一の映像区間を集めて種別ファイルを新たに作成するファイル作成部と、
前記種別ファイルを前記種別ごとに用意されたディレクトリに格納する分別部とを有することを特徴とする画像処理装置。
【請求項４】
前記種別は、番組本編とＣＭ（Ｃｏｍｍｅｒｃｉａｌ  Ｍｅｓｓａｇｅ）とを含むことを特徴とする請求項１から３のいずれかに記載の画像処理装置。
【請求項５】
外部より映像信号を受信する信号受信部と、前記映像信号を映像ファイルとして記憶する記憶媒体と、前記記憶媒体に記憶された前記映像ファイルを再生する再生部とを有する画像処理装置において、
前記映像ファイル中に含まれる情報を解析し、映像区間の種別を判断する種別判定部と、
前記種別が同一の映像区間を集めて種別ファイルを新たに作成するファイル作成部と、
前記種別に基づいた文字列を前記映像ファイルに付加情報として付与されるメタデータに加え、前記種別ファイルのメタデータとして付与するメタデータ付与部とを有することを特徴とする画像処理装置。
【請求項６】
外部より映像信号を受信する信号受信部と、前記映像信号を映像ファイルとして記憶する記憶媒体と、前記記憶媒体に記憶された前記映像ファイルを再生する再生部とを有する画像処理装置において、
前記映像ファイル中に含まれる情報を解析し、映像区間の種別を判断する種別判定部と、
前記種別が同一の映像区間を集めて種別ファイルを新たに作成するファイル作成部と、
前記種別に基づいた文字列を前記映像ファイルに付加情報として付与されるメタデータの先頭に加え、前記種別に基づいた文字列の文字数に応じて末尾を削除して、前記種別ファイルのメタデータとして付与するメタデータ付与部とを有することを特徴とする画像処理装置。
【請求項７】
外部より映像信号を受信する信号受信部と、前記映像信号を映像ファイルとして記憶する記憶媒体と、前記記憶媒体に記憶された前記映像ファイルを再生する再生部とを有する画像処理装置において、
前記映像ファイル中に含まれる情報を解析し、映像区間の種別を判断する種別判定部と、
前記種別が同一の映像区間を集めて種別ファイルを新たに作成するファイル作成部と、
前記映像ファイルに付加情報として付与されるメタデータが４文字以下の場合に、前記映像ファイルのメタデータを前記種別ファイルのメタデータとして付与するメタデータ付与部とを有することを特徴とする画像処理装置。
【請求項８】
前記種別は、番組本編とＣＭとを含むことを特徴とする請求項５から７のいずれかに記載の画像処理装置。
【請求項９】
前記映像ファイルのメタデータは、番組タイトルであることを特徴とする請求項５から７のいずれかに記載の画像処理装置。
【請求項１０】
外部より映像信号を受信する第１の工程と、
前記映像信号に基づいて得られる映像ファイルを記憶媒体に記憶する第２の工程と、
前記映像ファイル中に含まれる情報を解析し、本編映像区間とＣＭ映像区間の種別を判断する第３の工程と、
前記種別が同一の映像区間を集めて本編ファイルとＣＭファイルとを新たに作成する第４の工程と、
前記映像ファイルを再生操作した場合に、前記本編ファイルを再生し、前記本編ファイル再生終了後に前記ＣＭファイルを再生する第５の工程とからなることを特徴とするファイル再生方法。
【請求項１１】
外部より映像信号を受信する第１の工程と、
前記映像信号に基づいて得られる映像ファイルを記憶媒体に記憶する第２の工程と、
前記映像ファイル中に含まれる情報を解析し、本編映像区間とＣＭ映像区間の種別を判断する第３の工程と、
前記種別が同一の映像区間を集めて本編ファイルとＣＭファイルとを新たに隠しファイルとして作成する第４の工程と、
前記映像ファイルを再生操作した場合に、前記隠しファイルとして付与された前記本編ファイルを再生する第５の工程とからなることを特徴とするファイル再生方法。
【発明の詳細な説明】
【技術分野】
【０００１】
本発明は、映像ファイルの編集および再生方法に関し、特にＣＭを含む番組の映像ファイルにおいて分割されたファイルに対しての映像分類方法を有する画像処理装置およびファイル再生方法に関する。
【背景技術】
【０００２】
従来の技術として、テレビ等の映像配信源の番組を録画すると同時に、番組の間に挿入されているＣＭについての詳細情報を記録する番組記録装置が知られている（例えば、特許文献１）。
【０００３】
この番組記録装置によると、録画情報内に、ＣＭの記録された位置、次のＣＭの記録位置、およびＣＭの詳細情報を記録しており、それらの情報を読み込むことによりＣＭのみの再生、ＣＭの検索、およびＣＭだけを集めた映像の編集が可能である。
【特許文献１】特開２００２−１６５１７６号公報
【発明の開示】
【発明が解決しようとする課題】
【０００４】
しかし、従来の番組記録装置によると、録画処理中にリアルタイムでＣＭ情報収集し、番組情報に情報を記録するため、録画前に処理実行を指定する必要が有り、録画済みの映像情報や他の機器で録画した映像情報に関しては処理不可能であるという問題がある。また、ＣＭ情報を検索する際に、録画情報にアクセスして内容を確認する必要があり、録画情報のファイル名だけでは判断がつかず、検索に不便という問題があった。
【０００５】
従って、本発明の目的は、録画後の映像情報に対してＣＭ再生に関する処理が可能で、ファイル名およびメタデータで処理後の映像情報の内容判断が可能な映像分類方法を有する画像処理装置、および再生方法を提供することにある。
【課題を解決するための手段】
【０００６】
（１）本発明は上記目的を達成するため、外部より映像信号を受信する信号受信部と、前記映像信号を映像ファイルとして記憶する記憶媒体と、前記記憶媒体に記憶された前記映像ファイルを再生する再生部とを有する画像処理装置において、前記映像ファイル中に含まれる情報を解析し、映像区間の種別を判断する種別判定部と、前記種別が同一の映像区間を集めて種別ファイルを作成するファイル作成部と、前記種別に基づいた文字列を前記映像ファイルのファイル名に加え、前記種別ファイルのファイル名として付与するファイル名付与部とを有することを特徴とする画像処理装置を提供する。
【０００７】
このような構成によれば、映像ファイルが映像区間の内容により別ファイルに分割され、それぞれに種別に応じたファイル名が付与されるため、ファイルの管理性が良く、効率よく視聴可能である。
【０００８】
（２）また、本発明は上記目的を達成するため、外部より映像信号を受信する信号受信部と、前記映像信号を映像ファイルとして記憶する記憶媒体と、前記記憶媒体に記憶された前記映像ファイルを再生する再生部とを有する画像処理装置において、前記映像ファイル中に含まれる情報を解析し、映像区間の種別を判断する種別判定部と、前記種別が同一の映像区間を集めて種別ファイルを新たに作成するファイル作成部と、前記種別に基づいた文字列を前記映像ファイルのファイル名の先頭に加え、前記種別ファイルのファイル名として付与するファイル名付与部とを有することを特徴とする画像処理装置を提供する。
【０００９】
このような構成によれば、種別に基づいた文字列をファイル名の先頭に加えたため、（１）の効果に加え、ファイル名での並べ替えをすることにより、種別に応じたファイル管理性が向上する。
【００１０】
（３）また、本発明は上記目的を達成するため、外部より映像信号を受信する信号受信部と、前記映像信号を映像ファイルとして記憶する記憶媒体と、前記記憶媒体に記憶された前記映像ファイルを再生する再生部とを有する画像処理装置において、前記映像ファイル中に含まれる情報を解析し、映像区間の種別を判断する種別判定部と、前記種別が同一の映像区間を集めて種別ファイルを新たに作成するファイル作成部と、前記種別ファイルを前記種別ごとに用意されたディレクトリに格納する分別部とを有することを特徴とする画像処理装置を提供する。
【００１１】
このような構成によれば、種別に応じてファイルを格納するディレクトリを分けたため、利用者は所望の種別のファイルを対象に作業することができ、ファイル管理性が向上する。
【００１２】
（４）また、本発明は上記目的を達成するため、外部より映像信号を受信する信号受信部と、前記映像信号を映像ファイルとして記憶する記憶媒体と、前記記憶媒体に記憶された前記映像ファイルを再生する再生部とを有する画像処理装置において、前記映像ファイル中に含まれる情報を解析し、映像区間の種別を判断する種別判定部と、前記種別が同一の映像区間を集めて種別ファイルを新たに作成するファイル作成部と、前記種別に基づいた文字列を前記映像ファイルに付加情報として付与されるメタデータに加え、前記種別ファイルのメタデータとして付与するメタデータ付与部とを有することを特徴とする画像処理装置を提供する。
【００１３】
このような構成によれば、映像ファイルが映像区間の内容により別ファイルに分割され、それぞれに種別に応じたメタデータが付与されるため、メタデータビュアー等を用いたファイルの検索性が良く、効率よく視聴可能である。
【００１４】
（５）また、本発明は上記目的を達成するため、外部より映像信号を受信する信号受信部と、前記映像信号を映像ファイルとして記憶する記憶媒体と、前記記憶媒体に記憶された前記映像ファイルを再生する再生部とを有する画像処理装置において、前記映像ファイル中に含まれる情報を解析し、映像区間の種別を判断する種別判定部と、前記種別が同一の映像区間を集めて種別ファイルを新たに作成するファイル作成部と、前記種別に基づいた文字列を前記映像ファイルに付加情報として付与されるメタデータの先頭に加え、前記種別に基づいた文字列の文字数に応じて末尾を削除して、前記種別ファイルのメタデータとして付与するメタデータ付与部とを有することを特徴とする画像処理装置を提供する。
【００１５】
このような構成によれば、種別に基づいた文字列をメタデータの先頭に加え、かつ末尾を削除したため、（４）の効果に加え、メタデータに文字数制限がある等のファイル管理上の問題に対処することができる。
【００１６】
（６）また、本発明は上記目的を達成するため、外部より映像信号を受信する信号受信部と、前記映像信号を映像ファイルとして記憶する記憶媒体と、前記記憶媒体に記憶された前記映像ファイルを再生する再生部とを有する画像処理装置において、前記映像ファイル中に含まれる情報を解析し、映像区間の種別を判断する種別判定部と、前記種別が同一の映像区間を集めて種別ファイルを新たに作成するファイル作成部と、前記映像ファイルに付加情報として付与されるメタデータが４文字以下の場合に、前記映像ファイルのメタデータを前記種別ファイルのメタデータとして付与するメタデータ付与部とを有することを特徴とする画像処理装置を提供する。
【００１７】
このような構成によれば、映像ファイルのメタデータをそのまま新たに作成された種別ファイルのメタデータに付与したことにより、（５）の効果に加え、メタデータから末尾が削除されないため、情報損失が少なくなる。
【００１８】
（７）また、本発明は上記目的を達成するため、外部より映像信号を受信する第１の工程と、前記映像信号に基づいて得られる映像ファイルを記憶媒体に記憶する第２の工程と、前記映像ファイル中に含まれる情報を解析し、本編映像区間とＣＭ映像区間の種別を判断する第３の工程と、前記種別が同一の映像区間を集めて本編ファイルとＣＭファイルとを新たに作成する第４の工程と、前記映像ファイルを再生操作した場合に、前記本編ファイルを再生し、前記本編ファイル再生終了後に前記ＣＭファイルを再生する第５の工程とからなることを特徴とするファイル再生方法を提供する。
【００１９】
このような方法によれば、本編ファイルを再生した後にＣＭファイルを再生するため、ＣＭスキップして本編を再生することが可能である。同時に本編後にＣＭを確認可能である。
【００２０】
（８）また、本発明は上記目的を達成するため、外部より映像信号を受信する第１の工程と、
前記映像信号に基づいて得られる映像ファイルを記憶媒体に記憶する第２の工程と、前記映像ファイル中に含まれる情報を解析し、本編映像区間とＣＭ映像区間の種別を判断する第３の工程と、前記種別が同一の映像区間を集めて本編ファイルとＣＭファイルとを新たに隠しファイルとして作成する第４の工程と、前記映像ファイルを再生操作した場合に、前記隠しファイルとして付与された前記本編ファイルを再生する第５の工程とからなることを特徴とするファイル再生方法を提供する。
【００２１】
このような方法によれば、本編ファイルおよびＣＭファイルを隠しファイルとしたことにより、本編ファイルおよびＣＭファイルのファイル管理の必要がなくなる。また、映像ファイルを再生することにより自動的に隠しファイルである本編ファイルを再生するため、ＣＭスキップして本編を再生することが可能である。
【発明の効果】
【００２２】
本発明によれば、録画後の映像情報に対してＣＭに関する処理が可能で、録画情報検索が簡潔となる。
【発明を実施するための最良の形態】
【００２３】
以下に、本発明の画像処理装置、および再生方法の実施の形態を図面を参考にして詳細に説明する。
【００２４】
〔第１の実施の形態〕
（画像処理装置の構成）
図１は、本発明の第１の実施の形態に関する画像処理装置の概略図である。
【００２５】
画像処理装置１０００は、ＣＰＵ（Ｃｅｎｔｒａｌ Ｐｒｏｃｅｓｓｉｎｇ Ｕｎｉｔ）、ＨＤＤ（Ｈａｒｄ Ｄｉｓｃ Ｄｒｉｖｅ）等の電子部品を収容して構成される本体１と、文字、画像等を表示する表示画面２Ａを有する画像表示部２と、文字キー、ファンクションキー等の入力キー３Ａを有する文字入力部３と、ポインティングデバイスとしてのマウス４とを有する。
【００２６】
図２は、本発明の第１の実施の形態に関する画像処理装置の概略構成図である。
【００２７】
画像処理装置１０００は、各部を制御するＣＰＵ１０と、プログラムやファイル等のデータを記憶するＨＤＤ１１と、文字入力部３やマウス４に接続されそれらの操作に基づいた信号を各部へ送信するインターフェイス（Ｉ／Ｆ）部１２と、各部の処理の際に一時的にデータを格納するＳＤＲＡＭ１３とを有する。また、画像処理装置１０００内の各部はバス２０により接続される。
【００２８】
また、画像処理装置１０００は、例えば外部の映像配信元よりデジタル放送信号を受信する信号入力部１４と、受信信号を復調するチューナ部１５と、チューナ部１５より受信した通信信号をパケット毎にＡＶデコーダ部１７に送信するトランスポートデコーダ部１６と、受信信号をオーディオビデオ出力に変換するＡＶデコーダ部１７と、映像設定に関する文字情報を表示するＯＳＤコントローラ１８と、オーディオ出力を外部へ送信する音声出力部１９ａと、ビデオ出力とＯＳＤ情報を合成して画像表示部２へ出力する映像出力部１９ｂとを有する。
【００２９】
ＣＰＵ１０は、ＡＶデコーダ部１７より映像情報を受信し、ＨＤＤ１１に映像ファイルＡ１１０として保存するファイル作成部１０ａを有する。映像ファイルＡ１１０は音声データ１１０ａ、映像データ１１０ｂ、および映像ファイルの詳細情報やアイコン表示情報等を含むメタデータ１１０ｃより構成される。
【００３０】
図３は、本発明の第１の実施の形態における映像ファイルの構成および処理を示す概略図である。
【００３１】
映像ファイル１１０は、図３に示す時間ｔの向きに時系列とともに各フレームが並んでおり、本編の内容を含む本編フレーム２００と、ＣＭの内容を含むＣＭフレーム２０１と、ＣＭフレーム２０１の間に含まれ一般的に単色で構成されるブラックフレーム２０２とで構成される。
【００３２】
（動作）
以下に、本発明の第１の実施の形態における画像処理装置の動作を図１から図４を参照しつつ説明する。
【００３３】
録画済みの映像ファイル１１０に対し、ユーザーがＣＭ分割の操作を実行すると、ＣＰＵ１０のブラックフレーム認識部１０ｂがブラックフレーム２０２を認識し、ブラックフレーム２０２の挿入ポイントに基づいて本編フレーム２００とＣＭフレーム２０１が判別され、区間１および区間３が本編、区間２がＣＭであると認識する。
【００３４】
本編フレーム２００で構成された区間１および区間３を集めた情報は、ファイル作成部１０ａにより本編ファイル１１０Ａとして新たに作成され「CM_Free_Adventure.mpg」と本編ファイル名１１００Ａが付与される。
【００３５】
ＣＭフレーム２０１とブラックフレーム２０２とで構成された区間２の情報は、ファイル作成部１０ａによりＣＭファイル１１０Ｂとして新たに作成され「CM_Adventure.mpg」とＣＭファイル名１１００Ｂが付与される。
【００３６】
（第１の実施の形態の効果）
上記した実施の形態によると、ブラックフレーム２０２を認識することによりＣＭ区間を特定しているため、録画済みの映像ファイルに対して処理が実行可能である。
【００３７】
また、本編とＣＭとを別ファイルに分けて、各ファイルに「CM_Free_元ファイル名」および「CM_元ファイル名」とタイトルの先頭に文字列を付与したことにより、ファイル内容を参照せずともファイル名で内容を判断可能である。また、複数の本編ファイルとＣＭファイルが存在する場合、ファイル名で並べ替えすることにより本編ファイルのみ、およびＣＭファイルのみの抽出が可能であり、映像ファイルの管理が簡潔となる。
【００３８】
なお、ブラックフレーム２０２は、一般的に単色で構成されるフレームで色に限定はない。また、フレーム上の任意のパターンを検出することにより認識してもよい。また、フレームを解析する方法に限らず、音声信号を解析し、無音部分を検出することにより認識してもよく、特に方法を限定しない。
【００３９】
〔第２の実施の形態〕
図４は、本発明の第２の実施の形態に関する映像ファイルの構成および処理を示す概略図である。なお、以下の説明において、第１の実施の形態と同一の構成および機能を有する部分については共通の符号を付している。
【００４０】
本編ディレクトリ１１１Ａは、複数の本編ファイルを有する。ＣＭディレクトリ１１１Ｂは、複数のＣＭファイルを有する。
【００４１】
（動作）
以下に、本発明の第２の実施の形態における映像ファイルの構成および処理を図４および各図を参照しつつ説明する。
【００４２】
録画済みの映像ファイル１１０に対し、ユーザーが分割の操作を実行すると、ＣＰＵ１０のブラックフレーム認識部１０ｂがブラックフレーム２０２を認識し、ブラックフレーム２０２の挿入ポイントに基づいてファイル作成部１０ａにより本編ファイル１１０ＡおよびＣＭファイル１１０Ｂが作成される。
【００４３】
本編ファイル１１０Ａは、「CM_Free_Adventure.mpg」と本編ファイル名１１００Ａが付与され、本編ディレクトリ１１１Ａに格納される。
【００４４】
ＣＭファイル１１０Ｂは、「CM_Adventure.mpg」とＣＭファイル名１１００Ｂが付与され、ＣＭディレクトリ１１１Ｂに格納される。
【００４５】
（第２の実施の形態の効果）
上記した実施の形態によると、映像の種類ごとに別ディレクトリに格納したため、所望の種類のファイルのみを対象に作業することができる。
【００４６】
また、本編ファイル名１１００ＡおよびＣＭファイル名１１００Ｂには元の映像ファイル名１１００が付与されているため、映像ファイル１１０、本編ファイル１１０Ａ、およびＣＭファイル１１０Ｂは、それぞれ別のディレクトリに存在していても関連づけが容易である。
【００４７】
〔第３の実施の形態〕
図５は、本発明の第３の実施の形態に関する映像ファイルの構成および処理を示す概略図である。
【００４８】
（動作）
以下に、本発明の第３の実施の形態における映像ファイルの構成および処理を図５および各図を参照しつつ説明する。
【００４９】
録画済みの映像ファイル１１０に対し、ユーザーが分割の操作を実行すると、ＣＰＵ１０のブラックフレーム認識部１０ｂがブラックフレーム２０２を認識し、ブラックフレーム２０２の挿入ポイントに基づいてファイル作成部１０ａにより本編ファイル１１０ＡおよびＣＭファイル１１０Ｂが作成される。
【００５０】
本編ファイル１１０Ａは、「種別1_Adventure」とメタデータ１１０１Ａが付与される。
【００５１】
ＣＭファイル１１０Ｂは、「種別2_Adventure」とメタデータ１１０１Ｂが付与される。
【００５２】
（第３の実施の形態の効果）
上記した実施の形態によると、本編ファイル１１０ＡおよびＣＭファイル１１０Ｂに種別に応じたメタデータを付与することにより、メタビュアーを用いてファイルの映像種別を判別可能である。
【００５３】
なお、付与するメタデータは番組タイトルでもよい。この時、例えば本編ファイル１１０Ａには「M_Adventure」のようにタイトルの前に「M_」を付与し、ＣＭファイル１１０Ｂには「C_Adventure」のようにタイトルの前に「C_」を付与して種別分けをしてもよい。
【００５４】
また、再生するシステムの都合上メタデータの文字数制限がある場合や、文字数がある値をオーバーすることにより処理に時間がかかる等の問題がある場合は、付与した文字数分末尾を削除する。また、番組タイトルが４文字以下の場合は、文字を追加せずにタイトルをそのまま付与することにより対応してもよい。
【００５５】
〔第４の実施の形態〕
図６は、本発明の第４の実施の形態に関する映像ファイルの処理を示す概略図である。
【００５６】
（動作）
以下に、本発明の第４の実施の形態における映像ファイルの構成および処理を図６および各図を参照しつつ説明する。
【００５７】
録画済みの映像ファイル１１０に対し、ユーザーが分割の操作を実行すると、ＣＰＵ１０のブラックフレーム認識部１０ｂがブラックフレーム２０２を認識し、ブラックフレーム２０２の挿入ポイントに基づいてファイル作成部１０ａにより本編ファイル１１０ＡおよびＣＭファイル１１０Ｂが作成される。
【００５８】
ユーザーがある映像ファイル１１０を再生すると、自動的に本編ファイル１１０Ａを再生し、その後連続でＣＭファイル１１０Ｂを再生する。
【００５９】
（第４の実施の形態の効果）
上記した実施の形態によると、ＣＭで中断されることなくあたかもＣＭをスキップしたように番組視聴が可能で、かつＣＭ中の情報も本編視聴後に確認可能となる。
【００６０】
なお、ユーザーの設定によっては、再生の順序を逆にしてＣＭファイル１１０Ｂの後に本編ファイル１１０Ａを再生してもよい。また、ＣＭファイル１１０Ｂのみ再生してもよい。
【００６１】
〔第５の実施の形態〕
図７は、本発明の第５の実施の形態に関する映像ファイルの処理を示す概略図である。
【００６２】
（動作）
以下に、本発明の第５の実施の形態における映像ファイルの構成および処理を図７および各図を参照しつつ説明する。
【００６３】
録画済みの映像ファイル１１０に対し、ユーザーが分割の操作を実行すると、ＣＰＵ１０のブラックフレーム認識部１０ｂがブラックフレーム２０２を認識し、ブラックフレーム２０２の挿入ポイントに基づいてファイル作成部１０ａにより本編ファイル１１０ＡおよびＣＭファイル１１０Ｂが作成される。
【００６４】
本編ファイル１１０ＡおよびＣＭファイル１１０Ｂは、隠しファイルとして保存され、ユーザーからは見えない状態となる。
【００６５】
ユーザーがある映像ファイル１１０を再生すると、自動的に本編ファイル１１０Ａのみを再生する。
【００６６】
（第５の実施の形態の効果）
上記した実施の形態によると、本編ファイル１１０ＡおよびＣＭファイル１１０Ｂを隠しファイルとしてユーザーから見えないようにしたことにより、分割処理によりファイルが増えることにより発生する管理上の手間を低減させることができる。
【００６７】
また、オリジナルファイルである映像ファイル１１０をユーザーに提示し、再生動作をした際に本編ファイル１１０Ａのみを再生することにより、ユーザーは変更していないオリジナルのメタデータを見ることができ、ＣＭをスキップしたように映像視聴が可能となる。
【００６８】
なお、本編ファイル１１０ＡとＣＭファイルの再生順序、および組み合わせは任意のものを設定できるようにしてもよい。
【図面の簡単な説明】
【００６９】
【図１】本発明の第１の実施の形態に関する画像処理装置の概略図である。
【図２】本発明の第１の実施の形態に関する画像処理装置の概略構成図である。
【図３】本発明の第１の実施の形態における映像ファイルの構成および処理を示す概略図である。
【図４】本発明の第２の実施の形態に関する映像ファイルの構成および処理を示す概略図である。
【図５】本発明の第３の実施の形態に関する映像ファイルの構成および処理を示す概略図である。
【図６】本発明の第４の実施の形態に関する映像ファイルの処理を示す概略図である。
【図７】本発明の第５の実施の形態に関する映像ファイルの処理を示す概略図である。
【符号の説明】
【００７０】
１…本体、２…画像表示部、２Ａ…表示画面、３…文字入力部、３Ａ…入力キー、４…マウス、１０…ＣＰＵ、１０ａ…ファイル作成部、１０ｂ…ブラックフレーム認識部、１１…ＨＤＤ、１２…Ｉ／Ｆ部、１３…ＳＤＲＡＭ、１４…信号入力部、１５…チューナ部、１６…トランスポートデコーダ部、１７…ＡＶデコーダ部、１８…ＯＳＤコントローラ、１９ａ…音声出力部、１９ｂ…映像出力部、２０…バス、１１０…映像ファイル、１１０ａ…音声データ、１００ｂ…映像データ、１１０ｃ…メタデータ、１１０Ａ…本編ファイル、１１０Ｂ…ＣＭファイル、１１１Ａ…本編ディレクトリ、１１１Ｂ…ＣＭディレクトリ、２００…本編フレーム、２０１…ＣＭフレーム、２０２…ブラックフレーム、１０００…画像処理装置、１１００…映像ファイル名、１１００Ａ…本編ファイル名、１１００Ｂ…ＣＭファイル名、１１０１Ａ…メタデータ、１１０１Ｂ…メタデータ
【図１】
2007267259.tif 000003
【図２】
2007267259.tif 000004
【図３】
2007267259.tif 000005
【図４】
2007267259.tif 000006
【図５】
2007267259.tif 000007
【図６】
2007267259.tif 000008
【図７】
2007267259.tif 000009